(57)【要約】【課題】ハウジング形状の自由度を向上させる補聴処理モジュールおよび補聴器を提供する。【解決手段】補聴処理モジュール４は、基板寸法を小さく出来るように斜め又は湾曲に切り取られた辺を有する基板１と、この基板１に配置された補聴処理を行う補聴チップ２と、で構成される。また、補聴器１０は、耳穴に装着可能形状となった本体に、この本体外部の音を集音する集音部５と、補聴処理モジュール４と、この補聴処理モジュール４が出力する補聴処理された音を本体外へ出力する音出力部６と、集音部５と補聴処理モジュール４と音出力部６に電力を供給する電源部７とを備える。【選択図】図１
2010034865.tif 000002
【特許請求の範囲】
【請求項１】
人体の耳に挿入されて使用される補聴器の補聴処理モジュールであって、
基板と、
前記基板上に配設され、所定の補聴処理を行う補聴チップと
を備え、
前記基板は、その長手方向が前記補聴器の耳へ挿入方向に対して所定の角度で傾斜するように配置されていることを特徴とする補聴処理モジュール。
【請求項２】
請求項１に記載の補聴処理モジュールであって、
前記基板は、その平面輪郭を構成する辺が５つ以上有することを特徴とする補聴処理モジュール。
【請求項３】
請求項１に記載の補聴処理モジュールであって、
前記基板は、
所定長さを有し、互いに略平行な一対の第１の辺と、
前記第１の辺とは異なる長さを有し、前記第１の辺に対して直角に配置され、互いに略平行な一対の第２の辺と、
前記第１の辺および前記第２の辺間に設けられた第３の辺と
を備える補聴処理モジュール。
【請求項４】
請求項３に記載の補聴処理モジュールであって、
前記第３の辺は、前記第１の辺および前記第２の辺に対して所定の交差角度で配置され、前記挿入方向に対して平行な線および直交する線のうちの少なくとも一方に沿って配置されている補聴処理モジュール。
【請求項５】
請求項３に記載の補聴処理モジュールであって、
前記第３の辺は、円弧状であることを特徴とする補聴処理モジュール。
【請求項６】
人体の耳に挿入されて使用される補聴器であって、
周囲音を集音し、音信号を生成する集音部と、
請求項１ないし請求項５のいずれか１項に記載の基板を有し、前記集音部により生成された音信号に対して所定の補聴処理を行う補聴処理モジュールと、
前記補聴処理モジュールにより補聴処理された音信号に基づく音を出力する音出力部と、
前記集音部、前記補聴処理モジュール、および前記音出力部に電力を供給する電源部と、
を備える補聴器。
【発明の詳細な説明】
【技術分野】
【０００１】
本発明は、補聴器の内部に配置される補聴処理モジュール及びそれを備えた補聴器に関するものである。
【背景技術】
【０００２】
補聴器にはこれまで種々の形態ものが開発され商品化されているが、その中に、耳に直接本体を着けるタイプとして耳穴型補聴器、耳掛型補聴器と称されているものがある。中でも、特に、耳の中に挿入するタイプの耳穴型補聴器は、そのほとんどを耳の中に挿入するようにして装着することで、補聴器をしていることを他人に気づかれにくいため、装着者に好んで使用されている。
【０００３】
この耳穴型補聴器は、使用者の外耳及び外耳道の形状に合わせて外郭（以下、「ハウジング」と称する。）を形成したオーダーメイドのものが製造されるようになってきている。このオーダーメイドの耳穴型補聴器は、補聴器の装着度を高めるだけでなく、ハウリングの発生を防ぐことができるなど、使用者の装着感を向上させることができる。
【０００４】
この耳穴型補聴器は、当然のことながら、耳穴に装着するために小型であり、特に、ＣＩＣ（Completely in the canal）と称されるタイプは、外耳道内で収まるサイズであり、極めてコンパクトに構成されている。
【０００５】
このようなＣＩＣタイプの耳穴型補聴器においては、これまで各種提案がなされてきており、例えば、ハウジングの形状に制限を加えることの無い様に補聴器内に配置される各部品の係止部材を形成する技術が開示されている（例えば、特許文献１参照）。
【０００６】
【特許文献１】特表２０００−５０３１９７号公報
【発明の開示】
【発明が解決しようとする課題】
【０００７】
耳穴型補聴器は、大きく分けてその構成部品である、集音部と、電源部と、補聴モジュールと、音出力部とがハウジング内に適宜配置された構成となっている。そして、これらの構成部品を小型化すれば補聴器の小型化を図ることができるのは当然であるが、現状で必要とされる各種性能を維持または向上させながら小型化することは研究開発に要する期間・費用を考慮すると、普及型で廉価性を確保しつつ小型化と共に形状の自由度、即ち、千差万別な外耳道形状に対応可能なオーダーメイドタイプの耳穴型補聴器を製造するのは困難であった。
【０００８】
特に、補聴器の補聴処理を行う心臓部ともいえる部品で比較的大きい構成の補聴モジュールは、補聴器の小型化並びにハウジング形状の自由度を向上させるのに支障を来たす大きな要因であった。
【０００９】
本発明は、上記事情に鑑みてなされたものであって、より小型化が可能でかつハウジング形状の自由度を高めることが可能な補聴処理モジュールおよび補聴器を提供することを目的とする。
【課題を解決するための手段】
【００１０】
本発明の補聴処理モジュールは、人体の耳に挿入されて使用される補聴器の補聴処理モジュールであって、基板と、この基板上に配設され、所定の補聴処理を行う補聴チップとを備え、基板は、その長手方向が補聴器の耳へ挿入方向に対して所定の角度で傾斜するように配置されていることを特徴とする。
【００１１】
このように、その長手方向が補聴器の耳へ挿入方向に対して所定の角度で傾斜するように配置される基板によって、補聴器を実質的に小さくすることが可能になり、かつ他の部品との配設位置関係の自由度を高めることができ、補聴器のハウジング形状の自由度を高めることができる。
【００１２】
また、本発明の補聴処理モジュールは、基板が、その平面輪郭を構成する辺が５つ以上有することを特徴とする。
【００１３】
このように、その平面輪郭を構成する辺が５つ以上有するように構成された基板によれば、その輪郭辺数が増えるので、他の部品と関係上で、補聴器内での配置向きの自由度を高めるだけでなく、その各辺の向きを基準にして他の部品との位置決めを行うことができる。
【００１４】
また、本発明の補聴処理モジュールは、基板が、所定長さを有し、互いに略平行な一対の第１の辺と、第１の辺とは異なる長さを有し、第１の辺に対して直角に配置され、互いに略平行な一対の第２の辺と、第１の辺および第２の辺間に設けられた第３の辺とを備えることを特徴とする。
【００１５】
このように、基板が、所定長さを有し、互いに略平行な一対の第１の辺と、第１の辺とは異なる長さを有し、この第１の辺に対して直角に配置され、互いに略平行な一対の第２の辺と、第１の辺および第２の辺間に設けられた第３の辺とを備えることで、当該基板の辺の数が増えるので、他の部品と関係上で、補聴器内での配置向きの自由度を高め、当該第３辺により基板の位置決め並びに向き決めすることもできる。
【００１６】
また、本発明の補聴処理モジュールは、第３の辺が、第１の辺および第２の辺に対して所定の交差角度で配置され、挿入方向に対して平行な線および直交する線のうちの少なくとも一方に沿って配置されていることを特徴とする。
【００１７】
すなわち、第３の辺は、第１の辺および第２の辺に対して所定の交差角度で配置され、モジュール挿入方向に対して平行な線および直交する線のうちの少なくとも一方に沿って配向されていることにより、補聴器の奥行きを小さくできるだけでなく、第３の辺部分の実質的な切欠き構造によって、補聴器径方向への大径化を回避でき、更に組み立て時において、ハウジング内へのモジュール挿入がし易い、位置決めしやすい等の効果を奏する。
【００１８】
また、本発明の補聴処理モジュールは、第３の辺が、円弧状に構成されたことを特徴とする。
【００１９】
このように、第３の辺が円弧状に構成されていることにより、他部品との位置関係の自由度向上、配置傾斜角度の自由度向上、更に組み立て時において、組み込み向上性を高めることもできる。
【００２０】
また、本発明の補聴器は、人体の耳に挿入されて使用されるものであって、周囲音を集音し、音信号を生成する集音部と、請求項１ないし請求項５のいずれか１項に記載の基板を有し、前記集音部により生成された音信号に対して所定の補聴処理を行う補聴処理モジュールと、この補聴処理モジュールにより補聴処理された音信号に基づく音を出力する音出力部と、集音部、補聴処理モジュール、および音出力部に電力を供給する電源部と、を備える。
【００２１】
このように、人体の耳に挿入されて使用される補聴器において、該補聴器に用いられる補聴処理モジュールが楕円形や５辺以上の多辺の形状であることで、補聴器を実質的に小さくすることが可能になり、かつ他の部品との配設位置関係の自由度を高めることができるので、補聴器のハウジング形状の自由度を高めることができる。
【発明の効果】
【００２２】
本発明は、補聴器を実質的に小さくすることが可能になり、かつ他の部品との配設位置関係の自由度を高めることができるので、補聴器のハウジング形状の自由度を高めることができ、様々な外耳形状に対応することができる。
【発明を実施するための最良の形態】
【００２３】
以下、本発明の実施形態にかかる補聴処理モジュール及び補聴器を、図面を参照しながら詳細に説明する。
【００２４】
なお、第１の実施形態は図１から図５を参照して説明し、第２の実施形態は図６を参照し、第３の実施形態は図７を参照して説明する。また、図８、図９および図１０はそれぞれが補聴処理モジュールの変形例を示すもので、その輪郭形状のみを平面図にて示す。
【００２５】
（第１の実施形態）
図１は、本発明にかかる第１の実施形態における補聴処理モジュールの構成を示す平面図である。図２は、第１の実施形態における補聴器のブロック図を示したものである。図３は、第１の実施形態における補聴器の装着方向に沿った本体の断面図を示す。図４は、第１の実施形態における補聴チップのブロック図を示したものである。図５は図３に示す補聴器断面図の補聴処理モジュールの周辺を拡大した拡大図である。
【００２６】
本実施形態における図１に示す補聴処理モジュール４は、人体の耳に挿入されて使用される補聴器１０（図４参照）の中に配置されるものである。この補聴処理モジュール４は、図１に示すように、平面から見た形状が８つの辺１ａ，１ｂ，１ｃ，１ｄ，１ｅ，１ｆ，１ｇ，１ｈを備える８角形の基板１内に、長方形の補聴チップ２と、接続パッド３ａ，３ｂ，３ｃ，３ｄ，３ｅ，３ｆが配置されて構成される。なお、補聴チップ２は、後述するように、所定の補聴処理等を行うように構成されている。なお、補聴チップ２は、基板１の表面に配置されてもよいし、基板１の裏面に配置されてもよい。
【００２７】
補聴チップ２は、図１に示す基板４の中央から少し図中上側の辺１ｈ寄りに偏った位置に配置されている。そして、補聴チップ２の周囲には、基板４の他の３辺（図１中において左右および下方の辺）に沿うように、他の部品との接続を可能にする、接続パッド３ａ，３ｂ、接続パッド３ｃ，３ｄ、接続パッド３ｅ，３ｆがそれぞれ二個ずつ並んで配置されている。
【００２８】
基板１は、図示しない配線パッドにより、補聴チップ２が基板１に電気的に接続されている。なお、補聴チップ２の基板上１への実装は、例えば、補聴チップ２をベアチップとして、ボンディング工法により基板１上に実装することができる。
【００２９】
前述のように、基板１は角部を構成する辺１ａ，１ｂ，１ｃ，１ｄを有する。この角部の辺１ａ，１ｂ，１ｃ，１ｄは、例えば、補聴チップ２及び接続パッド３ａ，３ｂ，３ｃ，３ｄ，３ｅ，３ｆが形成された矩形（四辺１ｅ，１ｆ，１ｇ，１ｈを含む矩形）の基板の角を斜めにカットするようにして形成することができる。すなわち、矩形に製造された基板１に対してカットする加工を追加して製造する。そして、この辺１ａ，１ｂ，１ｃ，１ｄは、縦辺である辺１ｅ，１ｇまたは横辺である１ｆ，１ｈに対して４５度の角度で傾斜する辺として構成される。
【００３０】
本実施形態においては、辺１ｅと辺１ｈの間に形成される角部１ａと辺１ｇと辺１ｈの間に形成される角部１ｄの長さＬ１は、補聴チップ２の角が角部１ａと角部１ｄの内側に収まるように規定される長さにて形成されている。なお、補聴チップ２は、後述する図５のように補聴器１０に補聴処理モジュール４が組み込まれた際に、図５に示す平面において他の部位（音出力部６、電源部７、ハウジング８など）と重複しない程度であれば、基板１の外縁内に収まっていなくてもよい。
【００３１】
また、辺１ｅと辺１ｆの間に形成される角部１ｂ及び辺１ｆと辺１ｇの間に形成される角部１ｃの長さＬ２は、補聴チップ２の角と接続パッド３ａ〜３ｆが角部１ｂと角部１ｃの内側に収まるように規定される長さにて形成されている。
【００３２】
また、本実施形態においては、辺１ｅと１ｇとの間の間隔Ｌ３（図中水平方向の長さ）と、辺１ｂと１ｄとの間隔（図中対角線方向の長さ）とでは，長さＬ３よりも長さＬ４の方が小さく（Ｌ３>Ｌ４）構成されている。
【００３３】
補聴器１０の概略構成は、図２に示すように、補聴処理モジュール４を中心にして、この補聴処理モジュール４に接続された集音部５と音出力部６と電源部７で構成されている。すなわち、補聴処理モジュール４内の補聴チップ２は、集音部５が出力する集音した音情報が入力され、それに補聴処理を施して音出力部６へと出力する。また、補聴チップ２は、集音部５及び音出力部６の電源制御も行う。
【００３４】
接続パッド３ａ〜３ｆは、補聴チップ２と集音部５、音出力部６及び電源部７を接続するものであり、基板１に形成された配線パターンを通してそれぞれ対応する補聴チップ２の各入出力端子と接続されている。
【００３５】
図２に示す集音部５は音口とマイクロホンで構成される。この集音部５のマイクロホンは、音口に入ってきた音響信号を電気信号に変換して補聴処理モジュール４へ出力する。集音部５としては、例えば２つの音口と１つのマイクロホンで構成することができる。また、他の構成として、２つの音口それぞれに入ってきた音響信号をそれぞれ変換する２つのマイクロホンで構成することもでき、この場合、集音の指向性などの性能を高める構成とすることができる。また、マイクロホンは補聴処理モジュール４を介して、動作のための電力が電源部７より供給されている。
【００３６】
また、音出力部６は、導音口とレシーバーで構成されている。このレシーバーは補聴処理モジュール４から入力された電気信号を音響信号に変換して出力し、導音口は、レシーバーが出力する音響信号を補聴器の外へと導く。このレシーバーもマイクロホンと同じく、補聴処理モジュール４を介して、動作のための電力が電源部７より供給されている。
【００３７】
なお、マイクロホンならびにレシーバーは補聴器用途に一般に供給されている周知ものを使用されており、その詳細な説明は省略する。
【００３８】
電源部７は、空気電池を着脱自在とする電池収納部分を備える構造とすることができる。その詳細については図示しないが、電源部７の電池収納部は、例えば、補聴器１０を使用しない時には空気電池を取り出すことが出来るように、開閉する構成となっている。すなわち、この電池収納部に空気電池が収納されることで、空気電池の電極に端子が接触し、電流が流れるようになっている。また、空気電池は、電極の一部に大気中の酸素を使用して発電する一次電池である。特にＣＩＣタイプの補聴器１０には極めて小さい空気電池が用いられる。
【００３９】
なお、電源部７は、補聴器１０の電源ＯＮ／ＯＦＦを制御する機械式の電源スイッチを備えている構成とすることもできる。また、電源部７は、蓄電池を用いた充電可能な物であっても良い。この場合には、電源部７は、蓄電池を充電するための端子を備えており、端子に接続された外部アダプタなどから電力を受けて充電するように構成される。また、蓄電池は電磁誘導により端子を用いることなく充電を行うものであっても良い。
【００４０】
また、補聴器１０の本体の外郭は、図３に示すように、ハウジング８とフェイスプレート９で形成されている。このハウジング８の先端部分８ａが鼓膜側となるように外耳道に挿入されて使用される。
【００４１】
音出力部６はハウジング８の先端部分８ａの付近、集音部５と電源部７がフェイスプレート９に取り付けられ、その間に補聴処理モジュール４が係止されている。また、その詳細については図示しないが、フェイスプレート９の一部が電源部７の電池収納部と連動して開閉する形状となっており、そこから空気電池を出し入れする構成となっている。
【００４２】
また、集音部５と補聴処理モジュール４は、信号線５ａと電力線５ｂで接続され、信号線５ａと電力線５ｂは基板１の接続パッド３ａ及び３ｂから基板１の配線パターンを介して補聴チップ２の集音部信号入力端子と集音部電力端子に電気的に接続されている。この信号線５ａはマイクロホンが出力する電気信号を補聴チップ２へ、電力線５ｂは補聴チップ２が出力する電力をマイクロホンへ、それぞれ伝達する。
【００４３】
音出力部６と補聴処理モジュール４は、信号線６ａと電力線６ｂで接続され、信号線６ａと電力線６ｂは基板１の接続パッド３ｅ及び３ｆから基板１の配線パターンを介して補聴チップ２の音出力部信号出力端子と音出力部電力端子に電気的に接続されている。この信号線６ａは、補聴チップ２が出力する電気信号をレシーバーへ、電力線６ｂは補聴チップ２が出力する電力をレシーバーへ、それぞれ伝達する。
【００４４】
電源部７と補聴処理モジュール４は、電力線７ａと電力線７ｂで接続され、電力線７ａと電力線７ｂは基板１の接続パッド３ｃ及び３ｄから基板１の配線パターンを介して補聴チップ２の２つの電力入力端子に電気的に接続される。この電力線７ａ及び７ｂは空気電池の出力する電流を補聴チップ２へ伝達する。
【００４５】
図４は、補聴チップ２のブロック図を示したものである。
補聴チップ２は、図４に示すように、補聴処理部２ａと電源制御部２ｂとを有して構成される。
【００４６】
補聴処理部２ａは、所定の補聴処理を行う。例えば、集音部５からの電気信号に対して、時間領域の信号から周波数領域の信号に変換し、周波数帯域毎のパワーを計算する。そして、補聴器装着者の聴力特性に適合するようあらかじめ設定された周波数毎の設定ゲインと各種雑音抑圧機能のオンオフとに基づいて、周波数帯域毎に調整ゲインを算出する。そして、周波数帯域毎のパワーに調整ゲインを乗算して調整パワーを算出し、この調整パワーをもとに、周波数領域毎の信号を時間領域の信号に変換して合成する。そして、合成された時間領域の信号は、音出力部６へ送られる。
【００４７】
電源制御部２ｂは、電源部７から供給される電力を集音部５及び音出力部へ適宜供給するよう制御する。
【００４８】
以下、図５を用いて補聴処理モジュール４を構成する基板の形状について説明する。なお、図５においては、補聴処理モジュール４と集音部５、音出力部６及び電源部７とを接続する信号線及び電力線は省略している。
【００４９】
本実施形態では、補聴器１０はハウジング８の先端８ａからファイスプレート９側端部までの長さＬ１０が短く構成されている。すなわち、補聴処理モジュール４が、その長手方向を補聴器１０の挿入方向に沿うように配置（格納）された場合に比べ、補聴処理モジュール４が斜めにして格納されていることで、音出力部６と電源部７の間が短くなっている。さらに、補聴処理モジュールの４隅がカットされていることで、音出力部６と電源部７間の方向と垂直の方向も長さが短くなるので、補聴処理モジュール４がハウジング８に干渉しない。
【００５０】
また、図示はしていないが、通常、補聴器内には空気を通すベントが設けられているがこれとの干渉も避けることが可能になる。
【００５１】
このように、その長手方向が補聴器の耳へ挿入方向に対して所定の角度で傾斜するように配置される基板によって、補聴器を実質的に小さくすることが可能になり、かつ他の部品との配設位置関係の自由度を高めることができるので、補聴器のハウジング形状の自由度を高めることができ、装着者の外耳道形状の対応範囲が広がり、装着性の良い補聴器を提供できる。
【００５２】
また、基板１は角部を構成する辺１ａと辺１ｃはハウジング８の内壁部に沿った直線辺としてハウジング内での上下方向の位置決めの機能を有し、一方、辺１ｂが電源部７に略並行に対向し、辺１ｄが音出力部６に略並行に対向するようにしてその傾きと位置決めの基準とすることができる。さらに、角部を構成する辺１ａ〜１ｄとを有することで、他の構成部と補聴モジュールとの距離をより短くすることができ、補聴器を小型化することが可能となる。
【００５３】
（第２の実施形態）
図６は本発明にかかる第２の実施形態の補聴器の断面図である。
なお、図６においては、補聴処理モジュール６４と集音部６５、音出力部６６及び電源部６７とを接続する信号線及び電力線は省略してある。
【００５４】
本実施形態においても、補聴器６０はハウジング６８の中に音出力部６６と補聴処理モジュール６４と集音部６５と電源部６７を組み込んだ後にフェイスプレート６９をハウジング６８に装着して組み立てられる。
【００５５】
本実施形態では、基板６１の形状である平面輪郭が５辺となるように構成されている。すなわち、基板６１の１つの角が辺６１ｄを構成しているので、補聴器６０のハウジング６８は、この辺６１ｄに対応する対応部６８ｄを、出っ張らない構成にできる。
【００５６】
このように基板６１の１つの角をカットする構成により、補聴器６０の先端上部が内側に湾曲するような外耳道の装着者に合わせたハウジング６８の形状とすることができる。
【００５７】
（第３の実施形態）
図７は本発明にかかる補聴器の第３の実施形態の断面図である。
なお、図７においても、補聴処理モジュール７４と集音部７５、音出力部７６及び電源部７７を接続する信号線及び電力線を省略してある。
【００５８】
本実施形態では、フェイスプレート７９が比較的大きく構成されており、基板７１の形状である平面輪郭が６辺となるように構成されている。すなわち、基板７１の２つの角（補聴器本体の先端側の両角）がカットされて辺７１ｄと辺７１ｃとを備える構成であるので、補聴器７０のハウジング７８は、この辺７１ｄおよび７１ｃに対応する対応部７８ｄおよび７８ｃが出っ張らない構成とすることができる。また、基板７１は中心線Ｃに対して傾斜αで傾斜するように配置されている。
【００５９】
以上述べたように、本発明の各実施形態によれば、補聴処理モジュールを構成する基板の角をカットするような構造とすることで、補聴処理モジュールがハウジングや他の構成部品と干渉することを防止でき、装着者の外耳道の形状に合わせたハウジング設計の自由度を向上させることが可能となる。
【００６０】
本発明に係る補聴処理モジュールは、上記の実施形態に限るものではなく、例えば、図８から図１０に示すような構成とすることができる。
【００６１】
図８に示す補聴処理モジュール８４は、平面形状が４つの湾曲辺８１ａ，８１ｂ，８１ｃ，８１ｄと直線の辺８１ｅ，８１ｆ，８１ｇ，８１ｈを備える基板８１に構成されている。そして、その基板８１内に、図１に示したものと同様に図示しない補聴チップ、接続パッド等が適宜配置された構成である。
【００６２】
図９に示す補聴処理モジュール９４は、平面形状が基板内側に凹んだ４つの湾曲辺９１ａ，９１ｂ，９１ｃ，９１ｄと直線の辺９１ｅ，９１ｆ，９１ｇ，９１ｈを備える基板９１として構成されている。そして、その基板９１内には、図１示したものと同様に図示しない補聴チップ、接続パッド等が適宜配置されて構成されている。
【００６３】
図１０に示す補聴処理モジュール１０４は、基板１０１が楕円形状に構成されており、この基板１０１内に、図示しない補聴チップ、接続パッド等が適宜配置されて構成されている。
【００６４】
なお、ここでは耳穴型補聴器について詳細に説明したが、近年、耳掛型補聴器についても小型化が加速しており、実装スペースの効率化が求められている。また、近年は様々なデザインや形状の耳掛型補聴器も登場してきており、本発明はこのような耳掛型補聴器においても適用可能である。これにより、耳掛型補聴器についても小型化およびハウジング形状の自由度を高めることができる。
【産業上の利用可能性】
【００６５】
本発明は、より小型化が可能でかつハウジング形状の自由度を高めることが可能な補聴処理モジュールおよび補聴器等に有用である。
【図面の簡単な説明】
【００６６】
【図１】本発明の第１の実施形態における補聴処理モジュールの構成を示す平面図である。
【図２】本発明の第１の実施形態における補聴器のブロック図である。
【図３】本発明の第１の実施形態における補聴器の縦断面図である。
【図４】本発明の第１の実施形態における補聴チップ２の内部ブロック図である。
【図５】本発明の第１の実施形態における基板の形状と補聴器内の配置を表すための拡大平面図である。
【図６】本発明の第２の実施形態における基板の形状と補聴器内の配置を表すための拡大平面図である。
【図７】本発明の第３の実施形態における基板の形状と補聴器内の配置を表すための拡大平面図である。
【図８】本発明の補聴処理モジュールの変形例を示す平面図である。
【図９】本発明の補聴処理モジュールの変形例を示す平面図である。
【図１０】本発明の補聴処理モジュールの変形例を示す平面図である。
【符号の説明】
【００６７】
１，６１，７１，８１，９１，１０１  基板
２  補聴チップ
２ａ  補聴処理部
２ｂ  電源制御部
３ａ〜３ｃ  接続パッド
４，６４，７４，８４，９４，１０４    補聴処理モジュール
５，６５，７５  集音部
６，６６，６５  音出力部
７，６７，７７  電源部
８，６８，６８  ハウジング
９，６９，７９  フェイスプレート
１０  補聴器
【図１】
2010034865.tif 000003
【図２】
2010034865.tif 000004
【図３】
2010034865.tif 000005
【図４】
2010034865.tif 000006
【図５】
2010034865.tif 000007
【図６】
2010034865.tif 000008
【図７】
2010034865.tif 000009
【図８】
2010034865.tif 000010
【図９】
2010034865.tif 000011
【図１０】
2010034865.tif 000012